(57)【特許請求の範囲】
【請求項１】
アイドルモードの端末をページングする方法であって、
先進的なネットエレメント設備はアイドルモードに入った端末が対応する従来のページング情報を該端末に送信し、
前記先進的なネットエレメント設備はページングしようとする端末が対応する従来のページング情報に従って、該ページングしようとする端末が対応する先進的なページング情報を確定し、ページングを行い、
前記従来のページング情報はフレームを計数単位とするページングサイクルとページングオフセットを含み、
前記先進的なページング情報は端末をページングすることに用いられるハイパーフレーム番号を含み、
前記先進的なネットエレメント設備はページングしようとする端末が対応する従来のページング情報に従って、該ページングしようとする端末が対応する先進的なページング情報を確定し、ページングを行うステップは、
前記先進的なネットエレメント設備はページングしようとする端末が対応するフレームを計数単位とするページングサイクルとページングオフセットに従って、端末をページングすることに用いられるハイパーフレームを確定し、かつ確定されたハイパーフレームにページングしようとする端末をページングすることを含み、
前記先進的なネットエレメント設備はページングしようとする端末が対応するフレームを計数単位とするページングサイクルとページングオフセットに従って、端末をページングすることに用いられるハイパーフレームを確定し、かつ確定されたハイパーフレームにページングしようとする端末をページングするステップは、
前記先進的なネットエレメント設備はページングしようとする端末が対応するフレームを計数単位とするページングサイクルとページングオフセットに従って、端末をページングすることに用いられるハイパーフレーム番号を確定し、もし前記先進的なネットエレメント設備と端末との間には既にページンググループ情報を介してタイムドメインハッシュパラメータを指示することが確定されると、前記先進的なネットエレメント設備はページングしようとする端末のページング識別子とタイムドメインハッシュパラメータに従って端末をページングすることに用いられるハイパーフレームにおけるページングブロードキャストメッセージをロードするフレーム番号を計算し、かつ確定されたハイパーフレーム内の相応的なフレームに前記ページングブロードキャストメッセージを送信することを含み、
或いは、前記先進的なネットエレメント設備は、ページングしようとする端末が対応するフレームを計数単位とするページングサイクルとページングオフセットに従って端末をページングすることに用いられるハイパーフレーム番号及び該ハイパーフレームにおけるページングブロードキャストメッセージをロードすることに用いられるフレーム番号を確定し、かつ確定されたハイパーフレーム内の相応的なフレームに前記ページングブロードキャストメッセージを送信することを含むアイドルモードの端末をページングする方法。
【請求項２】
さらに、端末が前記先進的なネットエレメント設備にアクセス或いは再アクセスする場合、前記先進的なネットエレメント設備はハイパーフレームヘッダーを介して端末の前記先進的なネットエレメント設備がサポートするページング識別子タイプを指示し、かつ前記先進的なネットエレメント設備の第１エリアが端末にフレームを計数単位とするページングサイクルとページングオフセットを割り当てること及びページンググループ識別子情報によってタイムドメインハッシュパラメータを指示するかどうかを端末と協議して確定し、或いは、
前記先進的なネットエレメント設備はハイパーフレームヘッダーによって、端末の先進的なネットエレメント設備がサポートするページングタイプが従来の技術であることを指示し、かつ事前に前記先進的なネットエレメント設備の第１エリアが端末にフレームを計数単位とするページングサイクルとページングオフセットを割り当てること及びページンググループ識別子情報によってタイムドメインハッシュパラメータを指示するかどうかを設定することを含む請求項１に記載の方法。
【請求項３】
前記先進的なネットエレメント設備はページンググループ識別子情報によってタイムドメインハッシュパラメータを指示する場合のみ、前記先進的なネットエレメント設備はページンググループ識別子情報のメッセージの中にタイムドメインハッシュパラメータを前記端末に送信する請求項２に記載の方法。
【請求項４】
前記先進的なネットエレメント設備はページングしようとする端末のフレームを計数単位とするページングサイクルとページングオフセットに従って、端末をページングするハイパーフレーム番号を確定するステップは、以下の式によって端末をページングするハイパーフレーム番号を確定し、
【数１】
0005514367.tif 000020
ことを含む請求項１に記載の方法。
【請求項５】
前記端末のページング識別子は登録抹消識別子である場合、前記先進的なネットエレメント設備はページング識別子とタイムドメインハッシュパラメータに従って、端末をページングすることに用いられるハイパーフレームにおける前記ページングブロードキャストメッセージをロードすることに用いられるフレーム番号を計算するステップは、以下の式によって端末をページングすることに用いられるハイパーフレームにおける前記ページングブロードキャストメッセージをロードすることに用いられるフレーム番号を計算し、
【数２】
0005514367.tif 000021
ことを含む請求項１に記載の方法。
【請求項６】
前記端末のページング識別子はメディアアクセス制御（ＭＡＣ）アドレスハッシュである場合、前記先進的なネットエレメント設備は、ページング識別子とタイムドメインハッシュパラメータに従って、端末をページングすることに用いられるハイパーフレームにおける前記ページングブロードキャストメッセージをロードすることに用いられるフレーム番号を計算するステップは、以下の式によって端末をページングすることに用いられるハイパーフレームにおける前記ページングブロードキャストメッセージをロードすることに用いられるフレーム番号を計算し、
【数３】
0005514367.tif 000022
ことを含む請求項１に記載の方法。
【請求項７】
前記先進的なネットエレメント設備はページングしようとする端末が対応するフレームを計数単位とするページングサイクルとページングオフセットに従って、端末をページングすることに用いられるハイパーフレーム番号及び該ハイパーフレームにおけるページングブロードキャストメッセージをロードすることに用いられるフレーム番号を確定するステップは、前記先進的なネットエレメント設備は以下の式によって端末をページングするハイパーフレームにおける前記ページングブロードキャストメッセージをロードすることに用いられるフレーム番号を計算し、
【数４】
0005514367.tif 000023
ことを含む請求項１に記載の方法。
【請求項８】
前記先進的なネットエレメント設備は第１エリアと第２エリアを含む先進的なコントロールステーションであり、或いは第１エリアだけを含む先進的なコントロールステーションである請求項１に記載の方法。
【請求項９】
前記先進的なネットエレメント設備と端末との間のインタラクティブな情報に従来のページング情報が占めるビット数は従来のネットエレメント設備と端末との間のインタラクティブな情報に従来のページング情報が占めるビット数と同じであり、その中、前記先進的なネットエレメント設備と端末との間のインタラクティブな情報は、登録抹消要求メッセージ、登録抹消応答メッセージ、ページングブロードキャストメッセージ、測距要求メッセージと測距応答メッセージを含む請求項８に記載の方法。
【請求項１０】
さらに、端末がアイドルモードに入る過程において、前記先進的なコントロールステーションから送信する従来のページング情報を受信し、及び、
前記端末がアイドルモードに入った後、受信した従来のページング情報に従って先進的なページング情報を確定し、かつ確定された先進的なページング情報に従ってページングブロードキャストメッセージをモニターすることを含む請求項１に記載の方法。
【請求項１１】
さらに、前記端末は確定された先進的なページング情報に従って前記ページングブロードキャストメッセージをモニターした後、もし前記端末が前記ページングブロードキャストメッセージからページングに位置更新を要求されることを知った場合、位置更新を行い、及び、
もし前記ページングブロードキャストメッセージからページングにアイドルモードを終了しネットワーク再アクセスに入ることを要求されることを知った場合、ネットワークの再アクセスを行い、もし前記ページングブロードキャストメッセージからページングされないことを知った場合、ページングできない間隔に入ることを含む請求項１０に記載の方法。
【請求項１２】
端末がアイドルモードに入る過程において、先進的なコントロールステーションから送信された従来のページング情報を受信し、
前記端末がアイドルモードに入った後、受信した従来のページング情報に従って先進的なページング情報を確定し、かつ確定された先進的なページング情報に従ってページングブロードキャストメッセージをモニターすることを含み、
前記従来のページング情報はフレームを計数単位とするページングサイクルとページングオフセットを含み、
前記先進的なページング情報は端末をページングすることに用いられるハイパーフレーム番号を含み、
前記端末が受信した従来のページング情報に従って先進的なページング情報を確定し、かつ確定された先進的なページング情報に従ってページングブロードキャストメッセージをモニターするステップは、
前記端末が受信したフレームを計数単位とするページングサイクルとページングオフセットに従って、端末をページングすることに用いられるハイパーフレーム番号を確定し、もし前記端末と前記先進的なネットエレメント設備の間には既にページンググループ情報メッセージを介してタイムドメインハッシュパラメータを指示することが確定されると、前記端末が端末のページング識別子とタイムドメインハッシュパラメータに従って端末をページングすることに用いられるハイパーフレームにおけるページングブロードキャストメッセージをロードすることに用いられるフレーム番号を計算し、かつ確定されたハイパーフレーム内の相応的なフレームに前記ページングブロードキャストメッセージをモニターすることを含み、
或いは、前記端末が受信したフレームを計数単位とするページングサイクルとページングオフセットに従って、端末をページングすることに用いられるハイパーフレーム番号及び該ハイパーフレームにおけるページングブロードキャストメッセージをロードすることに用いられるフレーム番号を確定し、かつ確定されたハイパーフレーム内の相応的なフレームに前記ページングブロードキャストメッセージをモニターすることを含むアイドルモードの端末がページングメッセージをモニターする方法。
【請求項１３】
前記端末が受信したフレームを計数単位とするページングサイクルとページングオフセットに従って、端末をページングすることに用いられるハイパーフレーム番号を確定するステップは、以下の式によって端末をページングすることに用いられるハイパーフレーム番号を確定し、
【数５】
0005514367.tif 000024
ことを含む請求項１２に記載の方法。
【請求項１４】
前記端末のページング識別子が登録抹消識別子である場合、前記端末がページング識別子とタイムドメインハッシュパラメータに従って端末をページングすることに用いられるハイパーフレームにおけるページングブロードキャストメッセージをロードするフレーム番号を計算するステップは、以下の式によって端末をページングすることに用いられるハイパーフレームにおける前記ページングブロードキャストメッセージをロードすることに用いられるフレーム番号を計算し、
【数６】
0005514367.tif 000025
ことを含む請求項１２に記載の方法。
【請求項１５】
前記端末のページング識別子はメディアアクセス制御（ＭＡＣ）アドレスハッシュである場合、前記端末はページング識別子とタイムドメインハッシュパラメータに従って端末をページングすることに用いられるハイパーフレームにおけるページングブロードキャストメッセージをロードするフレーム番号を計算するステップは、以下の式によって端末をページングすることに用いられるハイパーフレームにおける前記ページングブロードキャストメッセージをロードすることに用いられるフレーム番号を計算し、
【数７】
0005514367.tif 000026
ことを含む請求項１２に記載の方法。
【請求項１６】
前記端末が受信したフレームを計数単位とするページングサイクルとページングオフセットに従って端末をページングすることに用いられるハイパーフレーム番号及び該ハイパーフレームにけるページングブロードキャストメッセージをロードすることに用いられるフレーム番号を確定するステップは、以下の式によって端末をページングするハイパーフレームにおける前記ページングブロードキャストメッセージをロードすることに用いられるフレーム番号を計算し、
【数８】
0005514367.tif 000027
ことを含む請求項１２に記載の方法。
【請求項１７】
送信ユニットと処理ユニットを含むアイドルモードの端末をページングする先進的なネットエレメント設備であって、
前記送信ユニットは、アイドルモードに入る端末が対応する従来のページング情報を該端末に送信するように設置され、
前記処理ユニットはアイドルモードの端末をページングする必要がある場合、ページングされた端末が対応する従来のページング情報に従って、ページングされた端末が対応する先進的なページング情報を確定し、ページングを行うように設置され、
前記従来のページング情報はフレームを計数単位とするページングサイクルとページングオフセットを含み、
前記先進的なページング情報は端末をページングすることに用いられるハイパーフレーム番号を含み、
前記処理ユニットは、ページングされた端末が対応するフレームを計数単位とするページングサイクルとページングオフセットに従って端末をページングすることに用いられるハイパーフレーム番号を確定し、もし前記先進的なネットエレメント設備と端末との間には既にページンググループ情報を介してタイムドメインハッシュパラメータを指示すると確定されたと、ページングされた端末のページング識別子とタイムドメインハッシュパラメータに従って端末をページングすることに用いられるハイパーフレームにおけるページングブロードキャストメッセージをロードするフレーム番号を計算し、かつ確定されたハイパーフレーム内の相応的なフレームに前記ページングブロードキャストメッセージを送信するように設置され、
ページングされた端末のページング識別子は前記先進的なネットエレメント設備と端末とが協議して確定され、或いは前記先進的なネットエレメント設備によって確定され、
或いは、前記処理ユニットは、ページングされた端末が対応するフレームを計数単位とするページングサイクルとページングオフセットに従って、端末をページングすることに用いられるハイパーフレーム番号及び該ハイパーフレームにおけるページングブロードキャストメッセージをロードすることに用いられるフレーム番号を確定し、かつ確定されたハイパーフレーム内の相応的なフレームに前記ページングブロードキャストメッセージを送信するように設置されるアイドルモードの端末をページングする先進的なネットエレメント設備。
【請求項１８】
前記先進的なネットエレメント設備は第１エリアと第２エリアを含む先進的なコントロールステーションであり、或いは第１エリアだけを含む先進的なコントロールステーションである請求項１７に記載の設備。
【請求項１９】
端末及び請求項１７に記載の前記先進的なネットエレメント設備を含むアイドルモードの端末をページングするシステムであって、
前記先進的なネットエレメント設備はアイドルモードに入る端末が対応する従来のページング情報を該端末に送信し、及びアイドルモードの端末をページングする必要がある場合、ページングされた端末が対応する従来のページング情報に従って、ページングされた端末が対応する先進的なページング情報を確定し、ページングを行うことに用いられるように設置され、
前記端末はアイドルモードに入る過程において、前記先進的なコントロールステーションが送信した従来のページング情報を受信し、及びアイドルモードに入った後、受信した従来のページング情報に従って先進的なページング情報を確定し、かつ確定された先進的なページング情報に従って前記先進的なネットエレメント設備のページングをモニターするように設置されるアイドルモードの端末をページングするシステム。
【発明の詳細な説明】
【技術分野】
【０００１】
本発明は通信分野に関し、具体的には、アイドルモードの端末をページングする方法、先進的なネットエレメント設備及びシステムに関する。
【背景技術】
【０００２】
無線通信システムにおいて、基地局（Ｂａｓｅ  Ｓｔａｔｉｏｎ、略称はＢＳである）によって指定の無線チャネルを利用して一定の地理的な範囲内に無線カバレッジを提供し、この地理的な範囲はセルと称する。通常に、論理的には、基地局はセルの中央に位置づける。カバレッジの範囲の大きさにより、基地局はマクロ基地局（Ｍａｃｒｏ  ＢＳ）、ピコ基地局（ＰＩＣＯ  ＢＳ）、フェムトセル基地局（ＦＥＭＴＯＣＥＬＬ  ＢＳ）に分けられる。また、カバレッジ或いは容量を拡張させるため、移動局と基地局の間に１つある或いは複数の中継局を置くことができる。移動局に対して、中継局は１つの基地局に相当する。移動局は１つのセルからもう１つのセルに移す場合、通信を保つため、スイッチを行うことが必要である。
【０００３】
サポートする通信プロトコルに従って、基地局／中継局は先進的なコントロールステーションと従来のコントロールステーションに分けられ、先進的なコントロールステーションは先進的な通信プロトコルをサポートする基地局／中継局（Ａｄｖａｎｃｅｄ  Ｂａｓｅ  Ｓｔａｔｉｏｎ／Ａｄｖａｎｃｅｄ  Ｒｅｌａｙ  Ｓｔａｔｉｏｎ、略称はＡＢＳ／ＡＲＳである）を指し、従来のコントロールステーションは従来の通信プロトコルをサポートできる基地局／中継局（Ｙａｒｄｓｔｉｃｋ  Ｂａｓｅ  Ｓｔａｔｉｏｎ／Ｙａｒｄｓｔｉｃｋ  Ｒｅｌａｙ  Ｓｔａｔｉｏｎ、略称はＹＢＳ／ＹＲＳである）を指す。互換性を考慮する技術において、先進的なコントロールステーションに対して、そのフレームをさらに第１エリアと第２エリアに分ける。第２エリアは従来の通信プロトコルをサポートすることができるため、また従来のエリアと称され、第１エリアは、先進的な通信プロトコルのみをサポートし、これにより、また先進的なエリアをも称することができる。類似的に、移動局に対して、また先進的な移動局（Ａｄｖａｎｃｅｄ  Ｍｏｂｉｌｅ  Ｓｔａｔｉｏｎ，略称はＡＭＳである）と従来の移動局（Ｙａｒｄｓｔｉｃｋ  Ｍｏｂｉｌｅ  Ｓｔａｔｉｏｎ、略称はＹＭＳである）に分けられ、先進的な移動局は第１エリア或いは第２エリアに作業することができるが、従来の移動局はただ第２エリアに作業することができる。従来の移動局に対して、先進的なコントロールステーションの第２エリアは１つの従来のコントロールステーションに相当する。また、先進的な移動局は従来のコントロールステーションにアクセスして作業する場合、従来のコントロールステーションに対して、該先進的な移動局は１つの従来の移動局である。また、先進的なコントロールステーションが先進的な通信プロトコルだけをサポートすることもでき、この時、先進的なコントロールステーションは第１エリアだけを有してもよい。
【０００４】
以下はＩＥＥＥ８０２．１６標準を例としてさらに説明をする。ＩＥＥＥ８０２．１６標準はマイクロ波帯に対して提示された先進的なエアーインターフェース標準であり、物理層（ＰＨＹ）と媒体アクセス制御層（Ｍｅｄｉａ  Ａｃｃｅｓｓ  Ｃｏｎｔｒｏｌ、略称はＭＡＣである）の基準を確立する。中継構造を含むＩＥＥＥ８０２．１６ｍは現在のＩＥＥＥ８０２．１６標準における最も先進的な標準技術であり、ＩＥＥＥ８０２．１６ｍ（以下１６ｍと略称する）はＩＥＥＥ８０２．１６ｅ（以下１６ｅと略称する）、ＩＥＥＥ８０２．１６ｊ（以下１６ｊと略称する）などの従来の標準の基礎に築く。
【０００５】
以上の説明に基づき、先進的なコントロールステーション（１６ｍプロトコルをサポートする基地局／中継局）は従来の移動局（１６ｅプロトコルをサポートする移動局）を互換してサポートすることができ、同様に、先進的な移動局（１６ｍプロトコルをサポートする移動局）も従来のコントロールステーション（１６ｅをサポートする基地局或いは１６ｊをサポートする中継局）に直接にアクセスすることができるべきである。第１エリア（先進的なエリアとも称し、１６ｍ  ｚｏｎｅ、略称はＭＺｏｎｅである）は１６ｍが定義する先進的な通信プロトコルをサポートし、第２エリア（従来のエリアとも称し、Ｌｅｇａｃｙ  Ｚｏｎｅ、略称はＬＺｏｎｅである）は１６ｅ／１６ｊのプロトコルをサポートすることができる。また、先進的なコントロールステーションもＭｚｏｎｅのみを有することができる。
【０００６】
一般には、システムにおけるコントロールステーションは従来のコントロールステーションから先進的なコントロールステーションに進化した場合、コントロールステーションが接続するネットワーク（アクセスサービスネットワークとも称し、ａｃｃｅｓｓ  ｓｅｒｖｉｃｅ  ｎｅｔｗｏｒｋ、ＡＳＮ）も相応的に従来のネットワークから先進的なネットワークに進化する。しかし、実際のシステムにおいて、図１に示すように、コントロールステーションとネットワークの発展の速度が同期的であるとは決まっていなく、或いは、市場発展はできるだけ速く先進的な技術を使うことを要求するため、コントロールステーションが先進的なコントロールステーションであり、アクセスサービスネットワークが従来のネットワークであるという状況が現れる。この時、もし先進的な端末と先進的なコントロールステーションのアイドルに何も変らず直接に先進的な通信プロトコルを用いると、続いての従来のネットワークとの通信過程に問題が出る可能性がある。
【０００７】
例えば、節電のために、移動端末（端末、移動局とも称する）はアイドル（Ｉｄｌｅ）モードに入られ、この後の移動端末はただ離散間隔で周期性にダウンリンクブロードキャストデータを受信し、かつ複数のコントロールステーションの間に移る過程において、必要な時だけにコントロールステーションに位置情報を更新し、スイッチとネットワークの再アクセスの必要はない。従来のコントロールステーション／端末と先進的なコントロールステーション／端末はＩｄｌｅモードでの処理に大きな差別がある。１６ｅと１６ｍ標準を例として、移動端末のページングモニターの処理方法は２種の標準において完全に違う。１６ｅプロトコルをサポートするコントロールステーションが移動端末に割り当てるページングサイクル（Ｐａｇｉｎｇ  Ｃｙｃｌｅ）及びページングオフセット（Ｐａｇｉｎｇ  Ｏｆｆｓｅｔ）は全てフレームを単位とし、１６ｍプロトコルをサポートするコントロールステーションが移動端末に割り当てるページングサイクル及びページングオフセットは全てハイパーフレームを単位とし、１つのハイパーフレームに一般に４つのフレームを含む。コントロールステーションが従来のネットエレメントを接続する状況で、１６ｅのコントロールステーションでも１６ｍのコントロールステーションでも、ページング制御器は全てそのサービス範囲内の移動端末にフレームを単位とするページングサイクル及びページングオフセットを割り当て、このため、第１エリアに作業する先進的なコントロールステーション及び移動端末はページングパラメータのマッチングマッピングを完成する必要がある。また、１６ｍプロトコルにおいて、移動端末はコントロールステーションが送信するページンググループ識別子メッセージ（ＰＧＩＤ−Ｉｎｆｏ）における指示及び割り当てられた登録抹消識別子に従ってページングモニターのスタートハイパーフレームの中に具体的なフレームを見付け、コントロールステーションが従来のネットエレメントを接続する状況で、従来のネットエレメントは移動端末に登録抹消識別子を割り当てることができないかもしれない。類似的の問題がたくさんあり、解決するための新たな方法が必要である。
【発明の概要】
【発明が解決しようとする課題】
【０００８】
本発明が解決しようとする技術問題はアイドルモードの端末をページングする方法、先進的なネットエレメント設備及びシステムを提示し、これによって、先進的なコントロールステーションが従来のアクセスネットワークを接続する場合にアイドルモードの端末が正常的に作業することができない問題を解決する。
【課題を解決するための手段】
【０００９】
前記問題を解決するために、本発明はアイドルモードの端末をページングする方法を開示し、該方法は、
先進的なネットエレメント設備はアイドルモードに入った端末が対応する従来のページング情報を該端末に送信し、
前記先進的なネットエレメント設備はページングしようとする端末が対応する従来のページング情報に従って、該ページングしようとする端末が対応する先進的なページング情報を確定し、ページングを行うことを含む。
【００１０】
前記従来のページング情報はフレームを計数単位とするページングサイクルとページングオフセットを含み、
前記先進的なページング情報は端末をページングすることに用いられるハイパーフレーム番号を含む。
【００１１】
前記先進的なネットエレメント設備はページングしようとする端末が対応する従来のページング情報に従って、ページングしようとする端末が対応する先進的なページング情報を確定し、ページングを行うステップは、
前記先進的なネットエレメント設備はページングしようとする端末が対応するフレームを計数単位とするページングサイクルとページングオフセットに従って、端末をページングすることに用いられるハイパーフレームを確定し、かつ確定されたハイパーフレームにページングしようとする端末をページングすることを含む。
【００１２】
前記先進的なネットエレメント設備はページングしようとする端末が対応するフレームを計数単位とするページングサイクルとページングオフセットに従って、端末をページングすることに用いられるハイパーフレームを確定し、かつ確定されたハイパーフレームにページングしようとする端末をページングするステップは、
前記先進的なネットエレメント設備はページングしようとする端末が対応するフレームを計数単位とするページングサイクルとページングオフセットに従って、端末をページングすることに用いられるハイパーフレーム番号を確定し、もし前記先進的なネットエレメント設備と端末との間には既にページンググループ情報を介してタイムドメインハッシュパラメータが確定されると、前記先進的なネットエレメントはページングしようとする端末のページング識別子とタイムドメインハッシュパラメータに従って端末をページングすることに用いられるハイパーフレームにおけるページングブロードキャストメッセージをロードするフレーム番号を計算し、かつ確定されたハイパーフレーム内の相応的なフレームに前記ブロードキャストメッセージを送信することを含む。
【００１３】
前記先進的なネットエレメント設備はページングしようとする端末が対応するフレームを計数単位とするページングサイクルとページングオフセットに従って、端末をページングすることに用いられるハイパーフレームを確定し、かつ確定されたハイパーフレームにページングしようとする端末をページングするステップは、
前記先進的なネットエレメント設備はページングしようとする端末が対応するフレームを計数単位とするページングサイクルとページングオフセットに従って端末をページングすることに用いられるハイパーフレーム番号及び該ハイパーフレームにおけるページングブロードキャストメッセージをロードすることに用いられるフレーム番号を確定し、かつ確定されたハイパーフレーム内の相応的なフレームに前記ページングブロードキャストメッセージを送信することを含む。
【００１４】
前記方法はさらに、
端末が前記先進的なネットエレメント設備にアクセス或いは再アクセスする場合、前記先進的なネットエレメント設備はハイパーフレームヘッダーを介して端末の前記先進的なネットエレメント設備がサポートするページング識別子タイプを指示し、かつ前記先進的なネットエレメント設備の第１エリアが端末にフレームを計数単位とするページングサイクルとページングオフセットを割り当てること及びページンググループ識別子情報によってタイムドメインハッシュパラメータを指示するかどうかを端末と協議して確定し、或いは、
前記先進的なネットエレメント設備はハイパーフレームヘッダーによって、端末の先進的なネットエレメント設備がサポートするページングタイプを指示することは従来の技術であり、かつ事前に前記先進的なネットエレメント設備の第１エリアが端末にフレームを計数単位とするページングサイクルとページングオフセットを割り当てること及びページンググループ識別子情報によってタイムドメインハッシュパラメータを指示するかどうかを設定することを含む。
【００１５】
前記先進的なネットエレメント設備はページンググループ識別子情報によってタイムドメインハッシュパラメータを指示する場合のみ、前記先進的なネットエレメント設備はページンググループ識別子情報のメッセージの中にタイムドメインハッシュパラメータを前記端末に送信する。
【００１６】
前記先進的なネットエレメント設備はページングしようとする端末のフレームを計数単位とするページングサイクルとページングオフセットに従って、端末をページングするハイパーフレーム番号を確定するステップは、以下の式によって端末をページングするハイパーフレーム番号を確定し、
【００１７】
【数１】
0005514367.tif 000002
【００１８】
前記端末のページング識別子は登録抹消識別子である場合、前記先進的なネットエレメント設備はページング識別子とタイムドメインハッシュパラメータに従って、端末をページングすることに用いられるハイパーフレームにおける前記ページングブロードキャストメッセージをロードすることに用いられるフレーム番号を計算するステップは、以下の式によって端末をページングすることに用いられるハイパーフレームにおける前記ページングブロードキャストメッセージをロードすることに用いられるフレーム番号を計算し、
【００１９】
【数２】
0005514367.tif 000003
【００２０】
前記端末のページング識別子はメディアアクセス制御（ＭＡＣ）アドレスハッシュである場合、前記先進的なネットエレメント設備は、ページング識別子とタイムドメインハッシュパラメータに従って、端末をページングすることに用いられるハイパーフレームにおける前記ページングブロードキャストメッセージをロードすることに用いられるフレーム番号を計算するステップは、以下の式によって端末をページングすることに用いられるハイパーフレームにおける前記ページングブロードキャストメッセージをロードすることに用いられるフレーム番号を計算し、
【００２１】
【数３】
0005514367.tif 000004
【００２２】
前記先進的なネットエレメント設備はページングしようとする端末が対応するフレームを計数単位とするページングサイクルとページングオフセットに従って、端末をページングすることに用いられるハイパーフレーム番号及び該ハイパーフレームにおけるページングブロードキャストメッセージをロードすることに用いられるフレーム番号を確定するステップは、前記先進的なネットエレメント設備は以下の式によって端末をページングするハイパーフレームにおける前記ページングブロードキャストメッセージをロードすることに用いられるフレーム番号を計算し、
【００２３】
【数４】
0005514367.tif 000005
【００２４】
前記先進的なネットエレメント設備は第１エリアと第２エリアを含む先進的なコントロールステーションであり、或いは第１エリアだけを含む先進的なコントロールステーションである。
【００２５】
前記先進的なネットエレメント設備と端末との間のインタラクティブな情報に従来のページング情報が占めるビット数は従来のネットエレメント設備と端末との間のインタラクティブな情報に従来のページング情報が占めるビット数と同じであり、その中、前記先進的なネットエレメント設備と端末との間のインタラクティブな情報は、登録抹消要求メッセージ、登録抹消応答メッセージ、ページングブロードキャストメッセージ、測距要求メッセージと測距応答メッセージを含む。
【００２６】
端末がアイドルモードに入る過程において、前記先進的なコントロールステーションから送信する従来のページング情報を受信し、及び、
前記端末がアイドルモードに入った後、受信した従来のページング情報に従って先進的なページング情報を確定し、かつ確定された先進的なページング情報に従ってページングブロードキャストメッセージをモニターする。
【００２７】
前記端末は確定された先進的なページング情報に従って前記ページングブロードキャストメッセージをモニターした後、もし前記端末が前記ページングブロードキャストメッセージの中からページングに位置更新を要求されることを知った場合なら、位置更新を行い、及び、
もし前記ページングブロードキャストメッセージからページングにアイドルモードを終了しネットワーク再アクセスに入ることを要求されることを知った場合なら、ネットワークの再アクセスを行い、もし前記ページングブロードキャストメッセージからページングされないことを知った場合なら、ページングできない間隔に入る。
【００２８】
本発明はさらにアイドルモードの端末がページングメッセージをモニターするう方法を提供し、該方法は、
端末がアイドルモードに入る過程において、先進的なコントロールステーションから送信された従来のページング情報を受信し、
前記端末がアイドルモードに入った後、受信した従来のページング情報に従って先進的なページング情報を確定し、かつ確定された先進的なページング情報に従ってページングブロードキャストメッセージをモニターすることを含む。
【００２９】
前記従来のページング情報はフレームを計数単位とするページングサイクルとページングオフセットを含み、
前記先進的なページング情報は端末をページングすることに用いられるハイパーフレーム番号を含む。
【００３０】
前記端末が受信した従来のページング情報に従って先進的なページング情報を確定し、かつ確定された先進的なページング情報に従ってページングブロードキャストメッセージをモニターするステップは、
前記端末が受信したフレームを計数単位とするページングサイクルとページングオフセットに従って、端末をページングすることに用いられるハイパーフレーム番号を確定し、もし前記端末と前記先進的なネットエレメント設備の間には既にページンググループ情報メッセージを介してタイムドメインハッシュパラメータを指示することが確定されると、前記端末が端末のページング識別子とタイムドメインハッシュパラメータに従って端末をページングすることに用いられるハイパーフレームにおけるページングブロードキャストメッセージをロードするフレーム番号を計算し、かつ確定されたハイパーフレーム内の相応的なフレームに前記ページングブロードキャストメッセージをモニターすることを含み、
前記端末が受信した従来のページング情報に従って先進的なページング情報を確定し、かつ確定された先進的なページング情報に従ってページングブロードキャストメッセージをモニターするステップは、
前記端末が受信したフレームを計数単位とするページングサイクルとページングオフセットに従って、端末をページングすることに用いられるハイパーフレーム番号及び該ハイパーフレームにおけるページングブロードキャストメッセージをロードすることに用いられるフレーム番号を確定し、かつ確定されたハイパーフレーム内の相応的なフレームに前記ページングブロードキャストメッセージをモニターすることを含む。
【００３１】
前記端末が受信したフレームを計数単位とするページングサイクルとページングオフセットに従って、端末をページングすることに用いられるハイパーフレーム番号を確定するステップは、以下の式によって端末をページングすることに用いられるハイパーフレーム番号を確定し、
【００３２】
【数５】
0005514367.tif 000006
【００３３】
前記端末のページング識別子が登録抹消識別子である場合、前記端末がページング識別子とタイムドメインハッシュパラメータに従って端末をページングすることに用いられるハイパーフレームにおけるページングブロードキャストメッセージをロードするフレーム番号を計算するステップは、以下の式によって端末をページングすることに用いられるハイパーフレームにおける前記ページングブロードキャストメッセージをロードすることに用いられるフレーム番号を計算し、
【００３４】
【数６】
0005514367.tif 000007
【００３５】
前記端末のページング識別子はメディアアクセス制御（ＭＡＣ）アドレスハッシュである場合、前記端末はページング識別子とタイムドメインハッシュパラメータに従って端末をページングすることに用いられるハイパーフレームにおける前記ページングブロードキャストメッセージをロードするフレーム番号を計算するステップは、以下の式によって端末をページングすることに用いられるハイパーフレームにおける前記ページングブロードキャストメッセージをロードすることに用いられるフレーム番号を計算し、
【００３６】
【数７】
0005514367.tif 000008
【００３７】
前記端末が受信したフレームを計数単位とするページングサイクルとページングオフセットに従って端末をページングすることに用いられるハイパーフレーム番号及び該ハイパーフレームにけるページングブロードキャストメッセージをロードすることに用いられるフレーム番号を確定するステップは、
以下の式によって端末をページングするハイパーフレームにおける前記ページングブロードキャストメッセージをロードすることに用いられるフレーム番号を計算し、
【００３８】
【数８】
0005514367.tif 000009
【００３９】
本発明は、送信ユニットと処理ユニットを含むアイドルモードの端末をページングする先進的なネットエレメント設備を提供し、
前記送信ユニットは、アイドルモードに入る端末が対応する従来のページング情報を該端末に送信するように設置され、
前記処理ユニットはアイドルモードの端末をページングする必要がある場合、ページングされた端末が対応する従来のページング情報に従って、ページングされた端末が対応する先進的なページング情報を確定し、ページングを行うように設置される。
【００４０】
前記従来のページング情報はフレームを計数単位とするページングサイクルとページングオフセットを含み、
前記先進的なページング情報は端末をページングすることに用いられるハイパーフレーム番号を含む。
【００４１】
前記処理ユニットは、ページングされた端末が対応するフレームを計数単位とするページングサイクルとページングオフセットに従って端末をページングすることに用いられるハイパーフレーム番号を確定し、もし前記先進的なネットエレメント設備と端末との間には既にページンググループ情報を介してタイムドメインハッシュパラメータを指示することが確定されると、ページングされた端末のページング識別子とタイムドメインハッシュパラメータに従って端末をページングすることに用いられるハイパーフレームにおけるページングブロードキャストメッセージをロードするフレーム番号を計算し、かつ確定されたハイパーフレーム内の相応的なフレームに前記ページングブロードキャストメッセージを送信するように設置され、
其の中、ページングされた端末のページング識別子は前記先進的なネットエレメント設備と端末とが協議して確定され、或いは前記先進的なネットエレメント設備によって確定される。
【００４２】
前記処理ユニットは、ページングされた端末が対応するフレームを計数単位とするページングサイクルとページングオフセットに従って、端末をページングすることに用いられるハイパーフレーム番号及び該ハイパーフレームにおけるページングブロードキャストメッセージをロードすることに用いられるフレーム番号を確定し、かつ確定されたハイパーフレーム内の相応的なフレームに前記ページングブロードキャストメッセージを送信するように設置される。
【００４３】
前記先進的なネットエレメント設備は第１エリアと第２エリアを含む先進的なコントロールステーションであり、或いは第１エリアだけを含む先進的なコントロールステーションである。
【００４４】
本発明は、端末及び先進的なネットエレメント設備を含むアイドルモードの端末をページングするシステムをさらに提供し、
前記先進的なネットエレメント設備はアイドルモードに入る端末が対応する従来のページング情報を該端末に送信し、及びアイドルモードの端末をページングする必要がある場合、ページングされた端末が対応する従来のページング情報に従って、ページングされた端末が対応する先進的なページング情報を確定し、ページングを行うことに用いられるように設置され、
前記端末はアイドルモードに入る過程において、前記先進的なコントロールステーションが送信した従来のページング情報を受信し、及びアイドルモードに入った後、受信した従来のページング情報に従って先進的なページング情報を確定し、かつ確定された先進的なページング情報に従って前記先進的なネットエレメント設備のページングをモニターするように設置される。
【発明の効果】
【００４５】
本発明の技術案により、先進的なコントロールステーションが従来のアクセスネットワークと接続する場合に発生する問題を解決することができ、アイドルモードにある端末をシステムの進化に適応させて正常に作業させることができ、これによって、節電の目的を実現する。
【図面の簡単な説明】
【００４６】
ここで説明する図面は本発明をさらに理解するために含まれており、本発明の一部を構成し、本発明の例示の実施の形態及びその説明は、本発明を説明するためのものであり、本発明を限定するものではない。
【図１】図１はシステムの進化のネットワーク配置図である。
【図２】図２は本実施例１における先進的なコントロールステーションがアイドルモードの端末をページングするフローチャートである。
【図３】図３は本実施例１におけるアイドルモードの端末がページングをモニターするフローチャートである。
【図４】図４は端末がアイドルモードに入ることを請求し、先進的なコントロールステーションが端末にフレームを単位とするページングサイクルとページングオフセットを割り当てるフローチャートである。
【図５】図５は先進的なコントロールステーションは主動的に端末がアイドルモードに入ることを要求し、先進的なコントロールステーションは端末にフレームを単位とするページングサイクルとページングオフセットを割り当てるフローチャートである。
【図６】図６は本実施例３におけるアイドルモードの端末がページングをモニターするフローチャートであり、本発明による先進的なコントロールステーションが第１エリアで端末をページングするフローチャートである。
【図７】図７は本実施例１におけるアイドルモードの端末がページングをモニターするフローチャートである。
【図８】図８は本発明による端末と先進的なコントロールステーションがページングの関連するパラメータを協議するフローチャートである。
【発明を実施するための形態】
【００４７】
本発明の主旨は、従来のネットワークと接続する先進的なネットエレメント設備がアイドルモードに入る端末が対応する従来のページング情報（フレームを計数単位とするページングサイクルとページングオフセットを含む）を該端末に送信し、
アイドルモードの端末をページングする必要がある場合、先進的なネットエレメント設備はページングされた端末が対応する従来のページング情報に従って、ページングされた端末が対応する先進的なページング情報（端末をページングすることに用いられるハイパーフレームを含む）を確定し、ページングを行う。
【００４８】
次に、図面及び具体的な実施例を参考して本発明の技術案をさらに詳しく説明する。
【００４９】
アイドルモードの端末をページングするシステムであり、端末及び先進的なネットエレメント設備を含む。先進的なネットエレメント設備は第１エリアと第２エリアを含む先進的なコントロールステーションであってもよく、或いは第１エリアだけを含む先進的なコントロールステーションであってもよい。
【００５０】
先進的なネットエレメント設備は主にアイドルモードに入る端末が対応する従来のページング情報を該端末に送信することに用いられ、及びアイドルモードの端末をページングする必要がある場合、ページングされた端末が対応する従来のページング情報に従って、ページングされた端末が対応する先進的なページング情報を確定し、ページングを行うことに用いられ、其の中、従来ページング情報はフレームを計数単位とするページングサイクルとページングオフセットを含み、先進的なページング情報は端末をページングすることに用いられるハイパーフレーム番号を含み、
其の中、先進的なネットエレメント設備は端末とインターアクションを行う過程において、両者のインタラクティブな情報に従来のページング情報が占めるビット数は従来のネットエレメント設備と端末との間のインタラクティブな情報に従来のページング情報が占めるビット数と同じであり、其の中、先進的なネットエレメント設備と端末との間のインタラクティブな情報は、登録抹消請求メッセージ、登録抹消応答メッセージ、ページングブロードキャストメッセージ、測距要求メッセージと測距応答メッセージを含む。
【００５１】
さらに、先進的なネットエレメント設備は送信ユニットと処理ユニットを含んでもよい。
【００５２】
送信ユニットは主にアイドルモードに入る端末が対応するフレームを計数単位とするページングサイクルとページングオフセットを該端末に送信することに用いられ、
処理ユニットは主にアイドルモードの端末をページングする必要がある場合、ページングされた端末が対応するフレームを計数単位とするページングサイクルとページングオフセットに従って、端末をページングすることに用いられるハイパーフレームを確定し、ページングを行うことに用いられ、
具体的に、処理ユニットはページングされた端末が対応するフレームを計数単位とするページングサイクルとページングオフセットに従って端末をページングすることに用いられるハイパーフレーム番号を確定し、もし前記先進的なネットエレメント設備と端末との間には既にページンググループ情報を介してタイムドメインハッシュパラメータを指示すると確定されたと、ページングされた端末のページング識別子とタイムドメインハッシュパラメータに従って端末をページングすることに用いられるハイパーフレームにおけるページングブロードキャストメッセージをロードするフレーム番号を計算し、かつ確定されたハイパーフレーム内の相応的なフレームに前記ページングブロードキャストメッセージを送信し、其の中、ページングされた端末のページング識別子は先進的なネットエレメント設備と端末とが協議して確定され、或いは先進的なネットエレメント設備によって確定される。
【００５３】
処理ユニットはページングされた端末が対応するフレームを計数単位とするページングサイクルとページングオフセットに従って、端末をページングすることに用いられるハイパーフレーム及び該ハイパーフレームにおけるブロードキャストメッセージをロードすることに用いられるフレーム番号を確定し、かつ確定されたハイパーフレーム内の相応的なフレームに前記ページングブロードキャストメッセージを送信してもよい。
【００５４】
端末は、主にアイドルモードに入る過程において、前記先進的なコントロールステーションから送信する従来のページング情報を受信し、及び、アイドルモードに入った後、受信した従来のページング情報に従って先進的なページング情報を確定し、かつ確定された先進的なページング情報に従って前記先進的なネットエレメント設備のページングをモニターすることに用いられ、
具体的に、端末は、受信したフレームを計数単位とするページングサイクルとページングオフセットに従って、端末をページングすることに用いられるハイパーフレーム番号を確定することができ、もし前記端末と前記先進的なネットエレメント設備の間には既にページンググループ情報メッセージを介してタイムドメインハッシュパラメータを指示することが確定されると、前記端末が本端末のページング識別子とタイムドメインハッシュパラメータに従って端末をページングすることに用いられるハイパーフレームにおけるページングブロードキャストメッセージをロードするフレーム番号を計算し、かつ確定されたハイパーフレーム内の相応的なフレームに前記ページングブロードキャストメッセージをモニターし、其の中、本端末のページング識別子は前記先進的なネットエレメント設備と端末とが協議して確定され、或いは前記先進的なネットエレメント設備によって確定される。
【００５５】
端末は、受信したフレームを計数単位とするページングサイクルとページングオフセットに従って、端末をページングすることに用いられるハイパーフレーム番号及び該ハイパーフレーム番号におけるページングブロードキャストメッセージをロードすることに用いられるフレーム番号を確定し、かつ確定されたハイパーフレーム内の相応的なフレームに前記ページングブロードキャストメッセージをモニターすることもできる。
【００５６】
次に、具体的な応用シーンを参考して前記システムがアイドルモードの端末に対してページングを実現する具体的な過程を紹介する。
【００５７】
実施例１
本実施例において、端末が先進的なコントロールステーション（即ち先進的なネットエレメント設備である）の第１エリアにアクセスし、該先進的なコントロールステーションは第１エリアだけを含む先進的なコントロールステーションであり、或いは同時に第１エリアと第２エリアを含む先進的なコントロールステーションであり、かつ該先進的なコントロールステーションは従来のアクセスネットワークに接続する。本実施例において、端末は先進的なコントロールステーションにアクセス或いは再アクセスする場合、先進的なコントロールステーションと端末は登録抹消識別子を採用してページング識別子として、かつページンググループ情報メッセージはタイムドメインハッシュパラメータを指示することを決める。以下、このシーンで、先進的なコントロールステーションがアイドルモードの端末に対してページングを実現する具体的な過程を紹介し、該過程は図２に示すように、以下のステップを含む。
【００５８】
ステップ２００：端末がアイドルモードに入るには、先進的なコントロールステーションは、端末がアイドルモードに入るのを知らせるように、ページング制御器とインターアクションし、該端末に割り当てるページンググループ識別子、ページング制御器識別子、ページングサイクル及びページングオフセットなどのパラメータを取得し、其の後、登録抹消識別子、ページンググループ識別子、ページング制御器識別子、ページングサイクル及びページングオフセットを含む登録抹消応答メッセージを該端末に送信し、其の中、登録抹消応答メッセージにおけるページングサイクルとページングオフセットは全てフレームを計数単位とし、
該ステップにおいて、先進的なコントロールステーションが接続するのは従来のアクセスネットワークであるのため、ページング制御器が該端末に割り当てるページングサイクル及びページングオフセットは従来のネットワークのフレームを計数単位とし、先進的なコントロールステーションは登録抹消応答メッセージの中にもフレームを計数単位とするページングサイクルとページングオフセットを携帯して端末に送信する。本実施例において、先進的なコントロールステーションと端末が先の協議の際、登録抹消識別子をページング識別子とすると確定したので、先進的なコントロールステーションは登録抹消識別子（ＤＩＤ）を生成し、登録抹消応答メッセージ（ＡＡＩ＿ＤＲＥＧ−ＲＳＰ）によってページンググループ識別子、ページング制御器識別子、ページングサイクル、ページングオフセット及び登録抹消識別子等の情報を端末に送信する。
【００５９】
其の中、端末がアイドルモードに入ることは、アイドルモードに入ることを要求するように、端末は主動的に先進的なコントロールステーションに登録抹消要求メッセージ（ＡＡＩ＿ＤＲＥＧ−ＲＳＱ）を送信することであり、先進的なコントロールステーションが端末がアイドルモードに入ることを望むことであってもよく、
例えば、一時データの伝送要求がないため、端末は主動的にアイドルモードに入るのがほしい場合、端末は主動的に登録抹消要求メッセージを先進的なコントロールステーションに送信し、アイドルモードへ入るのを請求し、図４に示すように、先進的なコントロールステーションは該登録抹消請求を受信した後、ページング制御器とインターアクションし、該端末に割り当てるページンググループ識別子、ページング制御器識別子、ページングサイクル及びページングオフセットなどのパラメータを取得し、かつ登録抹消応答メッセージによって取得した情報を端末に送信し、
さらに例えば、もし先進的なコントロールステーションは端末がアイドルモードに入ることを望む場合なら、先進的なコントロールステーションが主動的にページング制御器に該端末に割り当てるページンググループ識別子、ページング制御器識別子、ページングサイクル及びページングオフセットをインターアクションし、其の後、主動的に上記情報を含む登録抹消応答メッセージを端末に送信して端末がアイドルモードに入るのを要求し、該過程は図５のように示す。
【００６０】
ステップ２０１：ネットワーク側はアイドルモードの端末をページングしようとする場合、先進的なコントロールステーションは該端末に割り当てるフレームを計数単位とするページングサイクルとページングオフセットに従って端末をページングすることに用いられるハイパーフレーム番号を確定し、
該ステップにおいて、もし先進的なコントロールステーションはページング制御器のページング通知メッセージを受信すれば、先進的なコントロールステーションはページングされた端末のフレームを計数単位とするページングサイクル及びページングオフセットに従って、端末をページングすることに用いられるハイパーフレームを確定し、具体的には以下の式によって端末をページングするハイパーフレーム番号を計算し、
【００６１】
【数９】
0005514367.tif 000010
【００６２】
ステップ２０２：先進的なコントロールステーションはページング識別子（本実施例には登録抹消識別子である）とタイムドメインハッシュパラメータに従って端末をページングすることに用いられるハイパーフレームの中にページングブロードキャストメッセージを送信する具体的なフレーム番号を確定し、
本実施例において、先進的なコントロールステーションと端末は先の協議の時、ページンググループ情報メッセージがタイムドメインハッシュパラメータを指示すると確定したので、先進的なコントロールステーションは端末が所在するページンググループに対応するタイムドメインハッシュパラメータｍ及び端末の登録抹消識別子に従って、以下の式を介して端末情報を含むページングブロードキャストメッセージが所在するフレーム番号を計算し、
【００６３】
【数１０】
0005514367.tif 000011
【００６４】
ステップ２０３：先進的なコントロールステーションは確定された端末をページングすることに用いられるハイパーフレームにおいて対応するフレームに、ページングされる端末情報を含むページングブロードキャストメッセージを送信する。
【００６５】
端末側がページングを実現する過程は図３に示すように、以下のステップを含み、ステップ３００：端末は登録抹消応答メッセージを受信し、そこからフレームを単位とするページングサイクル及びページングオフセット情報を取得し、かつ取得したページングサイクル及びページングオフセット情報に従ってページングモニター間隔に入るハイパーフレーム番号（Ｎｎｅｘｔ＿ｌｉｓｔｅｎｉｎｇ＿ｓｕｐｅｒｆｒａｍｅ）を計算し、計算は以下の式を採用することができ、
【００６６】
【数１１】
0005514367.tif 000012
【００６７】
ステップ３０１：端末がページングモニターハイパーフレーム番号を計算し取得した後、アイドルモードのページングできない状態に入り、先進的なコントロールステーションはページングモニターハイパーフレーム番号と同じなハイパーフレームを送信するまで、この時端末がページングモニター間隔に入り、ページングモニター間隔の長さは１つのハイパーフレームの継続時間（普通には４フレームの長さである）であり、
ステップ３０２：端末がモニターしたハイパーフレームから其の第１フレームに含むページンググループ情報メッセージにおけるタイムドメインハッシュパラメータｍを解析し、かつ端末が解析する必要があるページングブロードキャストメッセージが所在するフレーム番号を計算し、
本実施例において、先進的なコントロールステーションと端末とは先の協議の際、ページンググループ情報メッセージがタイムドメインハッシュパラメータを指示すると確定したので、このため、端末がモニターしたハイパーフレームの中に其の第１フレームに含むページンググループ情報メッセージにおけるタイムドメインハッシュパラメータｍを解析し、具体的に以下の式によって端末が解析する必要があるページングブロードキャストメッセージが所在するフレーム番号を計算し、
【００６８】
【数１２】
0005514367.tif 000013
【００６９】
ステップ３０３、端末が計算して取得したフレーム番号に従って対応するレームに含むページングブロードキャストメッセージを解析し、其の後、受信したページングブロードキャストメッセージに自己とマッチングする登録抹消識別子を含むかどうかを判断し、即ち本端末がページングされるかどうかを判断する。もし端末はページングされると（即ちページングブロードキャストメッセージに自己とマッチングする登録抹消識別子を含む）、端末がページングメッセージにおける指示に従って位置更新或いはネットワーク再アクセスの操作を行う。そうではないと、次のモニターを行い、
其の中、端末は位置更新或いはネットワークの再アクセスを行う場合、送信した測距請求メッセージ及び測距応答メッセージに含むページングサイクル及びページングオフセットは同様に従来のネットワークのフレームを単位とするべきであり、さらに、送信する測距要求メッセージ及び測距応答メッセージにおけるページングサイクルとページングオフセットが占めるビット数は従来の技術におけるページングサイクルとページングオフセットが占めるビット数と同じである。もし端末がページングされないと、端末はページングモニター間隔に入ったハイパーフレーム番号を計算し、ページングできない状態に入る。また、端末はデータの伝送が必要である場合、端末は、いつでもネットワークの再アクセスを行なうことができ、速めにアイドルモードを終了する。
【００７０】
実施例２
本実施例は実施例１と基本的に同じであり、異なるところは、端末が先進的なコントロールステーションにアクセス或いは再アクセスする場合、先進的なコントロールステーションと端末が従来の識別子、即ちＭＡＣアドレスハッシュを採用してページング識別子とし、かつページンググループ情報メッセージがタイムドメインハッシュパラメータを指示することを確定するのである。このシーンで、先進的なコントロールステーションの操作は実施例１における先進的なコントロールステーションの操作のステップと同じであり、主な相違は、先進的なコントロールステーションが端末に送信する登録抹消応答メッセージに登録抹消識別子を携帯する必要がなく、かつ端末をページングする過程において、先進的なコントロールステーションがページングされた端末が所在するページンググループに対応するタイムドメインハッシュパラメータｍ及びページングする端末のＭＡＣアドレスハッシュ（即ちページング識別子情報である）に従って端末情報を含むページングブロードキャストメッセージが所在するフレーム番号を計算し、具体的には、以下の式によって端末情報を含むページングブロードキャストメッセージが所在するフレーム番号を計算し、
【００７１】
【数１３】
0005514367.tif 000014
【００７２】
本実施例において、端末側の操作も実施例１における操作と基本的に同じであり、異なるのは端末が端末をページングするハイパーフレームの中の第１フレームに含むページンググループ情報メッセージにおけるタイムドメインハッシュパラメータｍを解析した後、以下の式を介して端末が解析する必要があるページングブロードキャストメッセージが所在するフレーム番号を計算し、
【００７３】
【数１４】
0005514367.tif 000015
【００７４】
実施例３
本実施例において、端末は先進的なコントロールステーションの第１エリアにアクセスし、該先進的なコントロールステーションは第１エリアだけを含む先進的なコントロールステーションであり、或いは同時に第１エリアと第２エリアを含む先進的なコントロールステーションであり、かつ該先進的なコントロールステーションは従来のアクセスネットワークに接続する。本実施例において、端末は先進的なコントロールステーションにアクセス或いは再アクセスする場合、先進的なコントロールステーションと端末はページンググループ情報メッセージによってタイムドメインハッシュパラメータを指示しないことを確定する。以下、このシーンで、先進的なコントロールステーションがアイドルモードの端末に対してページングを実現する具体的な過程を説明し、該過程は図６に示すように、以下のステップを含む。
【００７５】
ステップ６００：端末はアイドルモードに入るには、先進的なコントロールステーションは、端末がアイドルモードに入ることを知らせるように、ページング制御器とインターアクションし、該端末に割り当てるページンググループ識別子、ページング制御器識別子、ページングサイクル及びページングオフセットなどのパラメータを取得し、其の後、ページンググループ識別子、ページング制御器識別子、ページングサイクル及びページングオフセットを含む登録抹消応答メッセージを該端末に送信し、其の中、登録抹消応答メッセージにおけるページングサイクルとページングオフセットは全てフレームを計数単位とし、
該ステップにおいて、先進的なコントロールステーションが接続するのは従来のアクセスネットワークであるのため、ページング制御器が該端末に割り当てるページングサイクル及びページングオフセットは従来のネットワークのフレームと計数単位として、先進的なコントロールステーションは登録抹消応答メッセージの中にもフレームを計数単位とするページングサイクルとページングオフセットを携帯して端末に送信する。
【００７６】
端末はアイドルモードに入いることは、アイドルモードに入るのを要求するように端末が主動的に先進的なコントロールステーションに登録抹消要求メッセージ（ＡＡＩ＿ＤＲＥＧ−ＲＥＱ）を送信することであってもよく、先進的なコントロールステーションが端末がアイドルモードに入ることを望むことであってもよく、
例えば、一時データの伝送要求がないため、端末は主動的にアイドルモードに入るのがほしい場合、端末は主動的に登録抹消要求メッセージを先進的なコントロールステーションに送信し、アイドルモードへ入るのを請求し、図４に示すように、先進的なコントロールステーションは該登録抹消請求を受信した後、ページング制御器とインターアクションし、該端末に割り当てるページンググループ識別子、ページング制御器識別子、ページングサイクル及びページングオフセットなどのパラメータを取得し、かつ登録抹消応答メッセージによって取得した情報を端末に送信し、
さらに例えば、もし先進的なコントロールステーションは端末がアイドルモードに入ることを望む場合なら、先進的なコントロールステーションが主動的にページング制御器に該端末に割り当てるページンググループ識別子、ページング制御器識別子、ページングサイクル及びページングオフセットをインターアクションし、其の後、主動的に上記情報を含む登録抹消応答メッセージを端末に送信し、端末がアイドルモードに入るのを要求し、該過程は図５に示す。
【００７７】
ステップ６０１：ネットワーク側はアイドルモードの端末をページングしようとする場合、先進的なコントロールステーションは該端末に割り当てるフレームを計数単位とするページングサイクルとページングオフセットに従って端末をページングすることに用いられるハイパーフレーム番号を確定し、
該ステップにおいて、もし先進的なコントロールステーションはページング制御器のページング通知メッセージを受信すれば、先進的なコントロールステーションはページングされた端末のフレームを計数単位とするページングサイクル及びページングオフセットに従って、端末をページングすることに用いられるハイパーフレームを確定し、具体的には以下の式によって端末をページングするハイパーフレーム番号を計算し、
【００７８】
【数１５】
0005514367.tif 000016
【００７９】
ステップ６０２：先進的なコントロールステーションはフレームを計数単位とするページングサイクルとページングオフセットに従って端末をページングすることに用いられるハイパーフレームにおいてページングブロードキャストメッセージを送信する具体的なフレーム番号を確定し、
本実施例において、先進的なコントロールステーションは端末と先の協議の時、ページンググループ情報メッセージによってタイムドメインハッシュパラメータを指示しないと確定したので、先進的なコントロールステーションは割り当てられたページングサイクルとページングオフセットに従って、以下の式によって端末情報を含むページングブロードキャストメッセージが所在するフレーム番号を送信し、
【００８０】
【数１６】
0005514367.tif 000017
【００８１】
ステップ６０３：先進的なコントロールステーションは確定された端末をページングすることに用いられるハイパーフレームにおいて対応するフレームにページングされた端末情報を含むページングブロードキャストメッセージを送信する。
【００８２】
端末側はページングを実現する過程は図７に示すように、以下のステップを含み、
ステップ７００：端末は先進的なコントロールステーションが送信する登録抹消応答メッセージを受信し、そこから取得したフレームを単位とするページングサイクル及びページングオフセット情報はページングモニター間隔に入ったハイパーフレーム番号（Ｎｎｅｘｔ＿ｌｉｓｔｅｎｉｎｇ＿ｓｕｐｅｒｆｒａｍｅ）を計算し、
該ステップにおいて、具体的な計算は以下の式を採用することができ、
【００８３】
【数１７】
0005514367.tif 000018
【００８４】
ステップ７０１：端末がページングモニターハイパーフレーム番号を計算し取得した後、アイドルモードのページングできない状態に入り、先進的なコントロールステーションはページングモニターハイパーフレーム番号と同じなハイパーフレームを送信するまで、この時端末がページングモニター間隔に入り、ページングモニター間隔の長さは１つのハイパーフレームの継続時間（即ち４フレームの長さである）であり、
ステップ７０２：端末は受信したフレームを計数単位とするページングサイクルとページングオフセットに従って端末が解析する必要があるページングブロードキャストメッセージが所在するフレーム番号を計算し、
【００８５】
【数１８】
0005514367.tif 000019
【００８６】
ステップ７０３：端末は計算して取得したハイパーフレーム内のフレーム番号に従って対応するフレームに含むページングブロードキャストメッセージを解析し、其の後、受信したページングブロードキャストメッセージにおいて自己とマッチングするページング識別子を含むかどうかを判断し、即ち本端末がページングされるかどうかを判断し、もし端末はページングされると（即ちページングブロードキャストメッセージの中に自己とマッチングするページング識別子を含む）、端末がページングメッセージにおける指示に従って位置更新或いはネットワークの再アクセスの操作を行う。そうではないと、端末は次のモニターを行い、
其の中、端末が位置更新或いはネットワークの再アクセスを行う場合、送信した測距請求メッセージ及び測距応答メッセージに含むページングサイクル及びページングオフセットは同様に従来のネットワークのフレームを単位とし、さらに、送信する測距要求メッセージ及び測距応答メッセージにおけるページングサイクルとページングオフセットが占めるビット数は従来の技術におけるページングサイクルとページングオフセットが占めるビット数と同じである。もし端末がページングされないと、端末は次回ページングモニター間隔に入るハイパーフレーム番号を計算し、ページングできない状態に入る。また、端末はデータの伝送が必要である場合、端末はいつでもネットワークの再アクセスを行なうことができ、速めにアイドルモードを終了する。
【００８７】
前記実施例１〜３において、端末は先進的なコントロールステーションにアクセスする場合、先進的なコントロールステーションがブロードキャストし送信したハイパーフレームヘッダーを介して、先進的なコントロールステーションがサポートするページング識別子タイプ（即ちページング識別子は登録抹消識別子であるか、それともＭＡＣアドレスハッシュであるか）を取得する。この後、先進的なコントロールステーションと端末は、例えば、前記先進的なコントロールステーションの第１エリアは端末にフレームか、それともハイパーフレームかを計数単位とするページングサイクルとページングオフセットを割り当てること、及びページンググループ情報メッセージによってタイムドメインハッシュパラメータを指示するかどうかなどの、ページングと関連するパラメータを協議して確定し、具体的な協議過程は図８に示す。
【００８８】
或いは、先進的なコントロールステーションは送信したハイパーフレームヘッダーに従って、先進的なコントロールステーションがサポートするのは従来の技術識別子か、それとも先進的な技術識別子であるか、端末を指示することができ、このようにして、端末はハイパーフレームヘッダーにおける指示に従って、ページング識別子タイプを確定することができ、たとえば、先進的なコントロールステーションがサポートするのは先進的な技術識別子である場合、端末は先進的な技術識別子における先進的なページング識別子を確定することができ、これによって、ページング識別子タイプを確定し、ページングと関連するパラメータは、例えば、先進的なコントロールステーションの第１エリアは端末にフレームか、それともハイパーフレームかを計数単位とするページングサイクルとページングオフセットを割り当てること、及びページンググループ情報メッセージに従ってタイムドメインハッシュパラメータを指示するかどうかなどについて、端末は事前に設定されたモード（例えばシステムのデフォルトパラメータ設定）は確定される。
【００８９】
示例のため、既に本発明の好ましい実施例を開示することにもかかわらず、当業者は各種の改善、増加と取替えも可能であることを理解でき、このため、本発明の範囲は前記実施例に限らないはずである。
【００９０】
一般の当業者は前記方法の全部或は一部のステップがプログラムを用いて関連ハードウェアに対して命令を出し、完成させることができ、前記プログラムはコンピューターの可読記憶媒体、例えば読み出し専用メモリ、磁気ディスク或は光ディスク等に記憶できると理解可能である。前記実施例の全部或は一部のステップは１つ或いは複数の集積回路を使用することで実現するという選択肢もある。それに対応し、前記実施例における各モジュール／ユニットはハードウェア形式で実現でき、またソフトウェアの機能モジュール形式でも実現できる。本発明は如何なる特定した形式のハードウェアとソフトウェアの結合にも限定されない。
【産業上の利用可能性】
【００９１】
本発明の技術案により、先進的なコントロールステーションが従来のアクセスネットワークと接続する場合に発生する問題を解決することができ、アイドルモードにある端末をシステムの進化に適応させて正常に作業させることができ、これによって、節電の目的を実現する。
【図１】
0005514367.tif 000028
【図２】
0005514367.tif 000029
【図３】
0005514367.tif 000030
【図４】
0005514367.tif 000031
【図５】
0005514367.tif 000032
【図６】
0005514367.tif 000033
【図７】
0005514367.tif 000034
【図８】
0005514367.tif 000035